Podtech/llm-jp-corpus-v4-ja_patent huggingface dataset:
(57)【要約】      （修正有）【課題】衛生面に問題がある床に直置きや、布製のトイレットペーパーストッカーの問題点を解決し、トイレットペーパーの補給を衛生的に、素早く可能にするトイレットペーパーストッカーを提供する。【解決手段】トイレットペーパーストッカーは、プラスチック成形、金属パイプ、金属線材で製作されたトイレットペーパーストッカー本体０１のみで構成され、トイレットペーパー０２のロールの芯に直接装着することで、道具や部品が不必要で簡単にトイレットペーパーストッカーを設置することができる。【選択図】図３
0003228081.tif 000002
【実用新案登録請求の範囲】
【請求項１】
道具や部品を使用しないで、トイレットペーパーのロールの芯に直接当装置を装着する取り付け方法が特徴のトイレットペーパーストッカー。
【請求項２】
着脱が簡単にでき、連結も可能なコの字形が特徴のトイレットペーパーストッカー。
【考案の詳細な説明】
【考案の詳細な説明】
【技術分野】
【０００１】本考案はトイレットペーパーストッカーに関するものである。
【背景技術】
【０００２】この考案はトイレットペーパーロールの芯に直接、当装置を簡単に取り付けることができ、トイレットペーパーの補給を素早く可能にする装置である。【０００３】従来、予備のためのトイレットペーパーストッカーは大掛かりな装置の設置や棚の上に収納することが多く、気軽に設置、使用できるものではなかった。
【先行技術文献】
【実用新案文献】
【０００４】公開実用  昭和５５−７２４９５
【考案の概要】
【考案が解決しようとする課題】
【０００５】床に直置きされたトイレットペーパーや布製のトイレットペーパーストッカーは衛生面に問題がある。【０００６】トイレットペーパーストッカーを設置するためには装置を壁にビス留めで取り付けたりして大掛かりになってしまう。【０００７】予備ロールは手の届く範囲にあるべきである。
【課題を解決する手段】
【０００８】トイレットペーパーストッカーをトイレットペーパーホルダーや壁に設置するのではなく使用中のトイレットペーパーロールの芯に直接、当装置を簡単に装着することで課題を解決することができる。
【０００９】プラスチック成形、金属パイプ、金属線材で簡単に製作でき、本体のみで機能するため、他の部品が不必要で、シンプルな構造のため加工費が低額で抑えられる。
【考案の効果】
【０００９】トイレットペーパーロールの芯に直接当装置を差し込むだけで簡単に取り付けることができ、トイレットペーパーの補給を素早く可能にする。
【００１０】道具も部品も不必要で当装置を装着使用できる、シンプルなトイレットペーパーストッカーを提供する。
【００１０】賃貸物件などの壁に取り付けキズを残さず、引越しの際に取り外しも簡単にできる。
【図面の簡単な説明】
【図面の簡単な説明】
【００１１】
【図１】トイレットペーパーストッカー使用図
【図２】トイレットペーパーストッカー本体
【図３】トイレットペーパーストッカー装着図
【図４】トイレットペーパーストッカー連結図
【符号の説明】
【００１２】０１  トイレットペーパーストッカー本体
０２  トイレットペーパー
０３  トイレットペーパーホルダー
【図１】
0003228081.tif 000003
【図２】
0003228081.tif 000004
【図３】
0003228081.tif 000005
【図４】
0003228081.tif 000006
【手続補正書】
【提出日】令和2年6月10日(2020.6.10)
【手続補正１】
【補正対象書類名】実用新案登録請求の範囲
【補正対象項目名】全文
【補正方法】変更
【補正の内容】
【実用新案登録請求の範囲】
【請求項１】
着脱が簡単にでき、連結も可能なコの字形が特徴のトイレットペーパーストッカー。
(57)【要約】      （修正有）【課題】メタルと絵画の組合せで、立体的な視覚を表現したソルダリング線画付き支持体物品を提供する。【解決手段】適度な厚みのある絵画用支持体の表面に、水性プライマーを二度以上下塗りして、表面に任意の、文字、形象、景色などの線画９を下書きし、輪郭に添って、任意の巾の銅テープ１０を全て貼り付け、その表面に添って糸ハンダ７とハンダゴテ６を使い、適度にハンダを盛り上げながら、ハンダ付け部分５を形成する。これにより、立体ぬり絵ボードとして活用出来、ハンダ以外の面全体を、任意の名種塗料絵具フデ８にて彩色すれば、メタルの質感と彩色画とのコントラストが生まれ、凹凸を要する立体感の有る立体絵画が出来、独特の美感を表現出来る。【選択図】図２
0003228082.tif 000002
【実用新案登録請求の範囲】
【請求項１】
適度な厚みの絵画用支持体の表面を，水性プライマーで下塗り保護し。その面に，任意の線画を下書きし，その輪郭に添って，任意の巾の銅テープを全て貼り付けた後，このテープの表面にハンダ付けを全部施す事によって，素地としての立体感のある線画付き支持体を作成。この状態で立体ぬりえボードとして活用出来る特徴がある。
【請求項２】
絵画用支持体表面に，ハンダ付けを施した素地支持体のハンダ部分以外の面全体を，任意の各種塗料材にて色分け彩色すれば，ハンダのメタルの質感と彩色とのコントラストが生まれ，凹凸を要する立体感の有る立体絵画が出来上がる。また，上記作成方法にて，立体組画支持体の縁，四方及び小口を同じようにハンダ付け加工を施せば，額縁のように表現出来，そのまま飾れば，独特の美感を表現出来る。
【考案の詳細な説明】
【技術分野】
【０００１】本考案は，絵画用支持体を使って，立体的視覚表現の絵画制作方法を考えた技法に関するものである。
【背景技術】
【０００２】絵画の立体感は，塗料材の盛り上げの多用や，立体物を利用して，支持体よりも厚く仕上げる物が多数で，無骨で繊細な優美が感じられない。
【先行技術文献】
【特許文献】
【０００３】
【特許文献１】特開２００３−１９１７００
【考案の概要】
【考案が解決しようとする課題】
【０００４】立体絵画の過度な厚みと，材料のコスト及び工程の複雑さで無理があり効率が悪い。商業的な量産も出来難い。
【課題を解決するための手段】
【０００５】絵画支持体に描いた線画の輪郭に添って金属箔銅テープを貼り，その表面にハンダ付けを施し，凹凸の立体感をスマートに表現。また使用する材料も少なく，コスト面も良く工程も簡素。
以上のように，ハンダ付けの技術を応用した立体絵画。
【考案の効果】
【０００６】上述の様に，個人でも無理なく立体絵画を作成出来，使用する銅テープの巾を小さくして貼り付けハンダ付けすれば，繊細な絵柄も，表現出来る。また，ハンダ付け機械を利用して，無理なく量産出来る。
【図面の簡単な説明】
【０００７】
【図１】本考案の側面から見た，各材料の配列図である。
【図２】本考案の参考線画の仕上げ工程を示す平面図である。
【図３】見本線画支持体のハンダ付け後の写真である。
【図４】見本線画のハンダの凹凸感の写真である。
【考案を実施するための形態】
【０００８】適度な厚みのある好みの大きさの絵画支持体の表面に，各種塗料絵具が塗れる水性プライマーを，耐熱にも成るように二度以上下塗りして，その表面に任意の文字，形像，景色などの線画を下書きし，その輪郭に添って，任意の巾の，のり面のある銅テープ全て貼り付ける。
次に，そのテープ表面に添って糸ハンダとハンダゴテを使って，立体感を出すように盛り上げながら，ハンダ付けを全て施す。この状態でも，立体ぬり絵ボードとして商品化も出来るが，ハンダ付けした所以外の面全体を，任意の各種塗料絵具にて，色分け彩色すれば，メタルの質感と彩色画とのコントラストが生まれ，凹凸を要する立体感の有る立体絵画が表現出来る。
【産業上の利用可能性】
【０００９】絵画用支持体表面に，ハンダ付け処理した線画付き支持体は，そのまま，凹凸感のある立体ぬり絵ボードとして商品化出来，さらに彩色すれば，斬新な美観を持つ立体感のあるハンダ付け絵画，または，ソルダリング絵画として成り立つ。
環境に優しい鉛フリーはんだを使ったハンダ付け機械を利用すれば，任意の絵柄を，立体ぬり絵ボード及び立体絵画として組織的に量産可能。
【符号の説明】
【００１０】１  支持体（ボード，キャンバス，木板，ＭＤＦ，ベニヤ）
２  水性プライマー下塗り
３  ハンダ
４  金属箔銅テープ
５  ハンダ付け施した部分
６  ハンダゴテ
７  糸ハンダ
８  彩色用フデ
９  線画
１０  銅テープを貼る場面
１１  見本，立体ぬり絵ボード
１２  見本，ハンダ凹凸部分
【図１】
0003228082.tif 000003
【図２】
0003228082.tif 000004
【図３】
0003228082.tif 000005
【図４】
0003228082.tif 000006
【手続補正書】
【提出日】令和2年6月8日(2020.6.8)
【手続補正１】
【補正対象書類名】実用新案登録請求の範囲
【補正対象項目名】全文
【補正方法】変更
【補正の内容】
【実用新案登録請求の範囲】
【請求項１】
プライマー塗装材を下塗りした厚み３ミリ以上の絵画用支持体と、その面に下書きした線画面に、任意の巾の銅テープを貼り付けて、ハンダ付盛り付け加工を施した、絵画用支持体とハンダ付けの組み合わせで、素地としての凹凸の立体感が在り、断面を見ると、支持体表面に楕円形の凸の形状を形作る、ソルダリング線画付き支持体の物品である。
【請求項２】
ソルダリング線画付き支持体の縁及び小口に、任意の巾の銅テープを貼り、請求項１と同様にハンダ付けを施せば、額縁のような縁どりが出来、側面から見ると、縁及び小口に楕円形の凸の形状を形作り、そのまま壁などに飾れる、ソルダリング線画付き支持体縁どり付きの物品である。
(57)【要約】      （修正有）【課題】エスカレータを歩行せずに２列で立ち利用を促進するエスカレータを提供する。【解決手段】エスカレータのステップ２、３上に一段ずつ互い違いに左右それぞれに立ち位置マークをつけることにより、エスカレータ利用効率の向上と安全利用の促進が図られる。【選択図】図１
0003228083.tif 000002
【実用新案登録請求の範囲】
【請求項１】
例えば二列用のエスカレータおよび歩く歩道の個々のステップ上に前後互い違いに立ち位置のマークを記した、２列利用促進および歩行防止用のエスカレータおよび歩く歩道
【考案の詳細な説明】
【技術分野】
【０００１】本考案はエスカレータにおける２列利用促進および歩行防止を目的とした立ち位置表示付ステップに関するものである
【背景技術】
【０００２】従来エスカレータのステップには立ち位置を示す足マークや歩行領域を示す矢印マークを示すものがあった
【先行技術文献】
【特許文献】
【０００３】
【特許文献１】特開平１１−２１７１７５
【特許文献２】特開平０９−３２８２７８
【非特許文献】
【０００４】なし
【考案の概要】
【考案が解決しようとする課題】
【０００５】主として安全上の配慮から、エスカレータ上での歩行を抑制する取り組みが行われているが、種々の啓蒙にもかかわらず実効が上がっていない。もう一つの課題として  知らない人と並んで立ってエスカレータを利用することへの心理的障害が大きいと想定される。
本ステップは２列立利用の促進と歩行抑制のための効果を向上させる事を目的としたものである
【課題を解決するための手段】
【０００６】本考案はエスカレータの２段のステップ上に互い違いに立ち位置を表示することにより、エスカレータ上の歩行を抑制し  ２列に整列して利用することを促進することができる
【考案の効果】
【０００７】上述の様に、２列に立ち位置表示を行うことにより歩行利用を抑止できるとともに、互い違いの立ち位置表示により  知らない人と並んで利用することへの心理的障害を低減する効果がある
【図面の簡単な説明】
【０００８】
【図１】エスカレータ略図
【考案を実施するための形態】
【実施例】
【０００９】エスカレータのステップに足型（あるいはそれに類した）の立ち位置マークを一段ずつ交互に塗料等にて塗装する
従来  各ステップに足型を塗装する方式はあったが実利用においては各ステップに一人が立つことは親子連れ以外には少なく、通常はステップを一つあけて利用している。本方式は従来の利用方法に即したものである。つまり片側利用だけの運行効率は従来通りである。
一方、ステップの立ち位置を左右で互い違いにすることで他人と並んで立つことへの抵抗感をなくし、歩行利用をなくして両側立利用の促進につながり、全体運行効率は向上する。
【産業上の利用可能性】
【００１０】従来よりステップ上への表示（安全立ち位置範囲の黄色の塗装など）は行われており、比較的安価に立ち位置表示を実現することが可能である
【符号の説明】
【００１１】図１  ステップに互い違いに左右に立ち位置を塗装したエレベータ
▲１▼    従来のエスカレータの手すりと同様
▲２▼    右側立ちを促進するためにステップの右側に足型などの立ち位置を塗装した            ステップ
▲３▼    左側立ちを促進するためにステップの左側に足型などの立ち位置を塗装した            ステップ
【配列表フリーテキスト】エスカレータ  ステップ  ２列利用促進
【図１】
0003228083.tif 000003
【手続補正書】
【提出日】令和2年6月10日(2020.6.10)
【手続補正１】
【補正対象書類名】実用新案登録請求の範囲
【補正対象項目名】全文
【補正方法】変更
【補正の内容】
【実用新案登録請求の範囲】
【請求項１】
二列用のエスカレータの個々のステップ上に前後互い違いに立ち位置のマークを記した、二列利用促進および歩行防止用のエスカレータ。
(57)【要約】      （修正有）【課題】マスク装着時における眼鏡の曇りを防止する眼鏡曇り止め機能を有するマスクを提供する。【解決手段】マスクは、通気性素材によるマスク本体１の上方に、軟質合成樹脂によるフィルム体４を突設させた。眼鏡１３をかけると眼鏡１３の下端がフィルム体４を押圧し、フィルム本体４が顔面皮膚に密着し、マスクと顔面との隙間が生じないので、吐いた息の上方移動が阻止され、眼鏡１３の曇りが防止される。【選択図】図６
0003228096.tif 000002
【実用新案登録請求の範囲】
【請求項１】
通気性素材によるマスクの上方に、軟質合成樹脂によるフィルム体を突設したことを特徴とする眼鏡曇り止め機能を有するマスク。
【請求項２】
フィルム体を、同形の２枚のマスク間に挟持固着して設けてなる請求項１記載の眼鏡曇り止め機能を有するマスク。
【請求項３】
フィルム体に接して通気性のメッシュ布体を設けてなる請求項１記載の眼鏡曇り止め機能を有するマスク
【考案の詳細な説明】
【技術分野】
【０００１】  この考案は、眼鏡とマスクの双方を装着した場合における眼鏡の曇り止め効果を発揮するマスクに関する。
【背景技術】
【０００２】  従来より、多種多様なマスクが市販されているが、本案にて示すように、眼鏡の曇り止め機能を有するものは見当たらない。
【考案の概要】
【考案が解決しようとする課題】
【０００３】  マスクは人体を衛生的に守るために、顔面に装着して用いるものであり、通気性素材にて製作される。一般的には口と鼻穴を覆うものであるが、顔面中央には鼻があるためにマスク上縁と鼻の付け根との間に隙間が生ずる。
吐く息大半はマスクを通過して外へ放出されるが、一部は上記の隙間を抜けて上昇する。
吐く息は多量の水分を含んでいるために、この抜けた息が眼鏡レンズに当たると、その温度差がある場合には、眼鏡レンズに微細な水滴が付着することにて曇ってしまい、視界不良となって好ましくない。
本案は以上に鑑み、マスク上縁に透明フィルムを突設することにて、上記問題を解決することを目的として発案されたものである。
【課題を解決するための手段】
【０００４】  課題を解決する手段として本案は以下の構成とした。すなわち、
通気性素材によるマスクの上方に、軟質合成樹脂によるフィルム体を突設する。
本案は以上の構成よりなる眼鏡曇り止め機能を有するマスクである。
【考案の効果】
【０００５】  本案によれば、マスク上方にフィルム体が突出して位置するので、マスク装着時において、眼鏡をかけると、眼鏡下端がこのフィルム体を押圧して、、フィルム体は顔面皮膚に密着し、吐く息の上方移動は阻止されるので、従来のマスク使用時にありがちであった眼鏡の曇りを防止することができる。また、構成簡単にして、比較的低コストでの生産が可能である。
【図面の簡単な説明】
【０００６】
【図１】本考案の正面図
【図２】本考案の構成説明図（一部略）
【図３】本考案の他例背面図
【図４】本考案の他例構成説明図（一部略）
【図５】本考案の他例正面図
【図６】本考案の使用説明図
【考案を実施するための形態】
【０００７】  以下、本考案の実施形態について説明する。
図において、１はマスク本体で、複数の折りたたみ部２があり、使用時はこの折りたたみ部が伸びて顔面から顎にかけてマスクで覆うことができる。３は伸縮可能なる耳掛け紐、４は軟質合成樹脂による透明なフィルム体で、図２にて示すように、２枚のマスク本体の間に挟持固着され、マスク本体上縁より突出している。
【０００８】  本案の使用に際しては、図６にて示すように、一般のマスク同様に顔面に装着する。
この装着時において、上記フィルム体はマスク本体上縁より上方に突出しており、眼鏡をかけると眼鏡下端にてこのフィルム体は軽い押圧を受けて顔面皮膚に密着する。
従って、一般のマスクにて生ずるマスクと顔面との隙間が生じないので、吐いた息の上方移動は阻止され、眼鏡の曇りは防止される。
【０００９】  図３〜図５は、本案の他例を示すものである。
図において、１０はマスク本体、１１はフィルム体、１２はガーゼ等による通気性を有するメッシュ布体である。本例は、マスク裏面上部にフィルム体と、このフィルム体の上にメッシュ布体を設けたもので、フィルム体とメッシュ布体の下端位置はほぼ同一である。
本例は前例のように、マスク本体を２枚必要とせず、１枚使用の例であり、メッシュ本体は顔面にフィルム体が張り付くことを防止するとともに、顔への当たりをソフトにする効果がある。
【００１０】  以上、本案について記したが、本案はフィルム体をマスクに付加することにて、眼鏡の曇りを防止するものであり、従来品にない機能を有するものである。
なお、マスク本体は既述例以外の他の構成のマスクを用いてもよく、フィルム体は透明以外の有色のものでもよい。フィルム体の上方突出距離は、眼鏡サイズに対応するべく適宜に選択して構成することができる。
以上のごとく、本案によってマスク装着時における眼鏡の曇りを防止できる新規かつ有用なる手段を得ることができる。
【符号の説明】
【００１１】  １  マスク本体
２  折りたたみ部
３  耳掛け紐
４  フィルム体
１０  マスク本体
１１  フィルム体
１２  メッシュ布体
１３  眼鏡
【図１】
0003228096.tif 000003
【図２】
0003228096.tif 000004
【図３】
0003228096.tif 000005
【図４】
0003228096.tif 000006
【図５】
0003228096.tif 000007
【図６】
0003228096.tif 000008
(57)【要約】      （修正有）【課題】長時間のガソリン供給を可能にした携帯型発電機において、１００時間を超すような長時間運転を可能にする携帯発電機用自動エンジンオイル補給装置を提供する。【解決手段】携帯発電機用自動エンジンオイル補給装置は、携帯発電機のオイル切れ信号を検知する制御用基板４とオイル供給用チューブポンプ３を備える。制御用基板４がオイル切れ信号を検知した場合、オイル供給用チューブポンプ３を一定時間駆動することでエンジンオイルタンク１内のオイルを発電機エンジンに供給する。【選択図】図１
0003228013.tif 000002
【実用新案登録請求の範囲】
【請求項１】
長時間可動型携帯発電機に発電機のオイル切れ信号と連動して、自動的にオイルを供給できることを特徴とした、携帯発電機用自動エンジンオイル補給装置。
【考案の詳細な説明】
【技術分野】
【０００１】携帯用発電機に関する分野です。
【背景技術】
【０００２】  最近は自然災害の規模が大きくなり、停電なども増え非常用発電機の需要が増えています。実際の災害などで通信機器の中継所などが停電になると、広範囲のユーザーに害が及ぶため、代替え電源として、ガソリン発電機などが利用されます。その際、移動型の発電機ではガソリン容量が限られ、発電がすぐに止まってしまいます。そのためにガソリンタンクを外部に拡張した長時間タイプの携帯型発電機があります。【０００３】  しかしながら、長時間のガソリン供給を可能にした場合でも、携帯型発電機では４サイクル型のエンジンであってもエンジンオイルの消費が激しく、１００時間を超すような長時間運転はできませんでした。こうした携帯用発電機にはオイル量が減るとエンジンを切るような安全装置が装備されているからです。
【考案の概要】
【考案が解決しようとする課題】
【０００４】  安全装置を解除してしまう方法もありますが、その場合全くエンジンオイルがなくなると、エンジンが焼き付き全く動かなくなる危険性があります。一旦焼き付くと、エンジンを分解して修理しなくてはいけないので、この方法は使えません。
【課題を解決するための手段】
【０００５】  そこで、発電中には電源もあることから、小さなタンクに小型ポンプと制御回路を取り付け、オイルが減った場合に自動的にオイルを供給する装置を考案しました。特徴はエンジンを止める安全装置の信号を制御基板に取り込み、その信号が来れば、一定量のオイルを送ることにしました。また小さなオイルタンクにはフロートスイッチも組み込み、万一オイルが無くなった場合は、エンジンを止めるようにしました。
【考案の効果】
【０００６】  この携帯発電機用自動エンジンオイル補給装置をガソリンタンクを外した部分に組み込むことで、外部に特にタンクなどを設ける必要なく、長時間稼働に必要なエンジンオイルを供給できるようになります。ポンプからはチューブで通常のエンジンオイル補給用のキャップに追加された部分に直接オイルを送ります。そのため、エンジン内のオイルがポンプによって遮断され、逆流せず圧力も本機のオイルタンクにかからないため、発電機が稼働状態のままでも、本機オイルタンクにオイルを補給することができます。その上今後はＩｏＴシステムなどで通信機能を持たせた場合も、あと何時間でオイルが無くなるかの情報を送ることもできるようになります。
【図面の簡単な説明】
【０００７】
【図１】携帯発電機用自動エンジンオイル補給装置構成図
【産業上の利用可能性】
【０００８】  災害時には長時間運転型の携帯発電機が有用ですが、従来のものはガソリン、エンジンオイルの両面で長時間動かすことは難しかったのです。ガソリンタンクは比較的簡単に増設できますが、オイルについてはエンジンの構造上の制約もあって、増設が難しかったのです。しかし本装置の考案によって安全にエンジンオイルの増設ができ、発電機稼働中にもエンジンオイルの補給ができるため、将来的には携帯用、非常用発電機の必需品として利用されることが期待されます。
【符号の説明】
【０００９】１  小型エンジンオイルタンク
２  フロート液面センサー
３  オイル供給用チューブポンプ
４  制御用基板
【図１】
0003228013.tif 000003
【手続補正書】
【提出日】令和2年3月7日(2020.3.7)
【手続補正１】
【補正対象書類名】実用新案登録請求の範囲
【補正対象項目名】全文
【補正方法】変更
【補正の内容】
【実用新案登録請求の範囲】
【請求項１】
長時間可動型携帯発電機のオイル切れ信号を制御用基板で検知しオイル供給用チューブポンプを一定時間駆動することで、エンジンオイルタンク内のオイルを発電機エンジンに供給できることを特徴とし、且つエンジン稼働中でもエンジンオイルの補給ができる携帯発電機内蔵式の自動エンジンオイル補給装置。
【手続補正書】
【提出日】令和2年6月3日(2020.6.3)
【手続補正１】
【補正対象書類名】実用新案登録請求の範囲
【補正対象項目名】全文
【補正方法】変更
【補正の内容】
【実用新案登録請求の範囲】
【請求項１】
長時間可動型携帯発電機のオイル切れ信号を検知する制御用基板と、オイル供給用チューブポンプとを備え、前記制御用基板が前記オイル切れ信号を検知した場合、前記オイル供給用チューブポンプを一定時間駆動することで、エンジンオイルタンク内のオイルを発電機エンジンに供給できることを特徴とし、且つエンジン稼働中でもエンジンオイルの補給ができる携帯発電機内蔵式の自動エンジンオイル補給装置。
(57)【要約】      （修正有）【課題】高齢者が、いつでも簡単に脳と身体を鍛える運動ができる矩形のプレートを提供する。【解決手段】略直径８０ｍｍの円形または略円形の模様を長辺方向に４個並列し、左から各模様内に「スタート」、「１」、「２」、「３」の表示を設けた運動用の矩形のプレート１であって、カップ３つを積み重ねるという反復動作で、「スタート」と表示した模様から「３」と表示した模様へ移動させる。【選択図】図１
0003228011.tif 000002
【実用新案登録請求の範囲】
【請求項１】
略直径８０ｍｍの円形または略円形の模様を長辺方向に４個並列し、左から各模様内にスタート、１、２、３の表示を設けた運動用の矩形のプレート。
【考案の詳細な説明】
【技術分野】
【０００１】  本考案は、略直径８０ｍｍの円形または略円形の模様を長辺方向に４個並列し、左から各模様内にスタート、１、２、３の表示を設けた運動用の矩形のプレートに関するものである。
【背景技術】
【０００２】  新たなルール下での運動のため、高齢者向け専用のプレートが存在していなかった。
【考案の概要】
【考案が解決しようとする課題】
【０００３】  高齢者が、いつまでも元気に過ごすためには脳と身体を鍛える必要がある。
さらに、いつでもどこでも簡単にできるものでなければならない。
そこで、新たな高齢者向け専用のプレートを提供することを課題とし、当該プレートを使った運動を高齢者に提供することにより、認知症予防・運動不足解消という付随する課題も併せて解決しようとするものである。
【課題を解決するための手段】
【０００４】  本考案は、略直径８０ｍｍの円形または略円形の模様を長辺方向に４個並列し、左から各模様内にスタート、１、２、３の表示を設けた運動用の矩形のプレートを提供することを前記課題の解決手段とする。
なお、当該プレートの上でカップ３つを積み・重ねるという簡単な動作をさせることで、高齢者がいつでもどこでも簡単に脳と身体を鍛えることができ、認知症予防・運動不足解消という効果が期待できる。
【考案の効果】
【０００５】  上記により、高齢者向け専用のプレートの提供が可能となり、幅広い高齢者が取り組みやすくする。
また、それを行うことで脳・腕・指先が鍛えられ、認知症予防・運動不足解消の効果が期待できる。
【図面の簡単な説明】
【０００６】
【図１】本考案の運動用プレート図である。
【実施例】
【０００７】  運動用プレートの円の大きさ・並びの間隔・色・プレートの大きさ・材質は、使い勝手により変更できるものとし、特に限定されない。
以下に、運動用プレートの使い方を例示する。
１．運動用プレートのスタート位置にカップを３個重ねて置く。
２．競技開始で、右手でスタート位置の一番上のカップを▲１▼の位置に置く。
３．左手でスタート位置の２番目のカップをスタート位置に残ったカップと▲１▼の位置のカップの上に積む。
４．右手で上に積んだカップを▲１▼の位置のカップに重ね、左手でスタート位置のカップを▲１▼の位置の２個重ねたカップの上に重ねる。
５．同様の動作で、▲２▼の位置、▲３▼の位置へと動作を繰り返し、▲３▼の位置に３個のカップが重なった状態で競技終了となり、スタートから終了までのタイムで競技する。
【符号の説明】
【０００８】１  運動用プレート本体
２  内部にスタートを表示した円
３  内部に１を表示した円
４  内部に２を表示した円
５  内部に３を表示した円
６  カップの移動を指示する矢印
【図１】
0003228011.tif 000003
(57)【要約】      （修正有）【課題】運動を妨げず、運動者自身が容易に空気圧調整ができる空気圧ベルトを提供する。【解決手段】人体の四肢の少なくとも１か所に圧力を加えるベルトであって、片面接着式テープ３の接着面と異なる面に袋状収納部５を設け、袋状収納部内に加圧チューブ６を配置し、空気注入口７を片面接着式テープに空けた穴４を通して片面接着式テープの面と垂直方向に設け、加圧チューブに空気を封入して圧力を加える。【選択図】図２
0003228015.tif 000002
【実用新案登録請求の範囲】
【請求項１】
人体の四肢の少なくとも１か所に圧力を加えるベルトであって、片面接着式テープの接着面と異なる面に袋状収納部を設け、袋状収納部内に加圧チューブを配置し、空気注入口を本片面接着式テープに空けた穴を通して本片面接着式テープの面と垂直方向に設け、本加圧チューブに空気を封入して圧力を加える空気圧ベルト。
【考案の詳細な説明】
【技術分野】
【０００１】本考案は、片面接着式テープの片面に加圧チューブを配置した空気圧ベルトに関するものである。
【背景技術】
【０００２】運動時に人体の一部を圧迫する場合、単に片面接着式テープや単にチューブや複雑な講造のベルト等を腕または脚にまいていた。
【先行技術文献】
【特許文献】
【０００３】
【特許文献１】再表００−０１０６４９  公報
【考案の概要】
【考案が解決しようとする課題】
【０００４】  ベルト等での人体圧迫は、強く絞めると血流を阻害する恐れが有るため、阻害緩和の目的で空気圧を利用する場合が多いが、特許文献１の図２で示すとおりベルトの横に出す構造の空気注入口は身体に触れやすく邪魔で運動効率を悪くする。また、空気注入用の空気注入器具を取り付ける際も身体接触を避ける為に空気注入口をチューブ等で延長する必要がある。
【課題を解決するための手段】
【０００５】本考案は、片面接着式テープ３に穴４を空け、加圧チューブ６の空気注入口７をベルト面に対し垂直方向に出す構造により、空気注入口７を身体から離れる方向に突き出した。
【考案の効果】
【０００６】  上述の様に、本考案の空気圧ベルトは片面接着式テープ３に穴４を空け表面に空気注入口７を出すことで、身体から離れる方向へ垂直に突き出すため、運動を妨げ無い。しかも、身体から離れた空気注入口７に運動者自身が空気注入器具を押し当て容易に空気圧調整ができる為、運動中の安全安心確保に大きな効果がある。
【図面の簡単な説明】
【０００７】
【図１】本考案の空気圧ベルトの平面図である。
【図２】本考案の空気圧ベルトの側面図である。
【図３】図２のＸＸ’断面図である。
【図４】本考案の空気圧ベルト装着直前の図である。
【図５】本考案の空気圧ベルト装着時の図である。
【図６】図５のＹＹ’断面図である。
【図７】図５のＹＹ’断面図であり、加圧チューブに空気注入後の状態である。
【考案を実施するための形態】
【０００８】  片面接着式テープ３の接着面を外面、袋状収納部５を内面にして腕または脚に巻く。先端８をバックル２に通して折り曲げ、接着面を合わせて固定する。空気注入口７から空気を入れ膨らませる事で装着圧調整が自由自在となる
【実施例】
【０００９】  以下、添付図面に従って実施例を説明する。
図１おける２はプラスチック等適宣素材にて形成されたバックル。３は布または合成繊維等適宣素材の片面接着式テープ。本片面接着式テープは株式会社クラレ製のマジックテープ（登録商標）が好ましいが、特にマジックテープに限定される事は無い。４は片面接着式テープに空けた穴である。【００１０】  図２における２はプラスチック等適宣素材にて形成されたバックル。３は布または合成繊維等適宣素材の片面接着式テープ。４は片面接着式テープに空けた穴。５は布等適宣素材で形成した袋状収納部。６は５の内部に収納した加圧チューブ。７は６の空気注入口であり、３に空けた穴４を通して外部に出す。【００１１】  図３は本考案の空気圧ベルト断面図であり、片面接着式テープ３の穴４を加圧チューブ６の空気注入口７が突き抜け、袋状収納部５が加圧チューブ６を包んでいる。【００１２】  図４、図５は本考案の空気圧ベルトを人体の一部に設置する例である。図６はＹＹ’の断面図、図７は空気注入により加圧チューブ６の拡張時断面である。
【符号の説明】
【００１３】  １  空気圧ベルト本体
２  バックル
３  片面接着式テープ
４  片面接着式テープに空けた穴
５  袋状収納部
６  加圧チューブ
７  空気注入口
８  先端
【図１】
0003228015.tif 000003
【図２】
0003228015.tif 000004
【図３】
0003228015.tif 000005
【図４】
0003228015.tif 000006
【図５】
0003228015.tif 000007
【図６】
0003228015.tif 000008
【図７】
0003228015.tif 000009
(57)【要約】      （修正有）【課題】抗菌作用のある材料を使用し、清潔にマスクを使用でき、その携帯性を高め、かつ、清潔に使用できるよう考慮されたマスク収納ケースを提供する。【解決手段】あらかじめ抗菌剤を混ぜた材料を用いて製造されたマスク収納ケース１であって、底辺ａは山折になっており、左辺ｆで圧着されている。そのため底辺ａ及び左辺ｆは閉じた状態になっている。上辺ｂ、ｃと右辺ｄ、ｅは開口しているため、ここからマスクを出し入れすることができる。この時ファイルの内側は抗菌効果を持つ。また、マスクケース表面２の任意のまたは全体に抗菌作用を持つニスをコーティングすることで底辺ａで折り返し内部にマスクを収納した場合、でもマスク表面には抗菌効果が持続する。【選択図】図１
0003228945.tif 000002
【実用新案登録請求の範囲】
【請求項１】
あらかじめ抗菌加工が施されたポリプロピレン材料（以下ＰＰと表記する）を用いることでマスクに付着した黄色ブドウ球菌と大腸菌の増殖を抑制し、またマスク本体が外気に触れないように収納をするために、開閉可能な部分と圧着による密閉された部分、または開閉部分を一時的に係止するフック部を備え、マスクの出し入れと密閉に近い状態での保存機能を兼ね備える事を特長とするマスク収納ケース。
【請求項２】
前項に記載のＰＰ材料に対する印刷は、オフセット印刷を用い絵や文字、写真などを印刷することを特徴とする請求項１に記載のマスク収納ケース。
【請求項３】
オフセット印刷にて絵や文字、写真などの印刷を施したＰＰ材料に対し黄色ブドウ球菌と大腸菌の増殖を抑制する効果を備える抗菌ニスを用いて、オフセット印刷によりその表面にコーティング処理をすることを特徴とする請求項１に記載のマスク収納ケース。
【考案の詳細な説明】
【技術分野】
【０００１】  本考案は主として、フイルムシート材料に対して多目的に使用できる利便性の高いノベルティー商品に関するものである。
【背景技術】
【０００２】  従来のマスク収納ケースは、使用する素材に抗菌加工を使用しますに触れる面に対しての抗菌効果を発揮することは出来たがマスク収納ケースの表面は抗菌加工がされていなかった。
【考案が解決しようとする課題】
【０００３】  マスクを取り扱う際に、マスク収納ケースの表面に指が触れてしあうことは不可避なため、マスク本体のばい菌の増殖を抑制すること出来てもマスク収納ケース表面でのばい菌の増殖を抑制することは出来ていなかった。
【課題を解決するための手段】
【０００４】  予め抗菌、滅菌効果を持つ加工を施したＰＰ材料を用いることで、使用済みのマスクに付着した雑菌の繁殖を抑える機能を持つマスク収納ケースを作成でき、オフセット印刷を用いてパターン等を印刷することで、共通の材料で多岐にわたる製品のバリエーションを作成することも出来、ノベルティー効果を高めることが出来る。そして各種印刷を施した上から抗菌効果を持つニスをコーティングすることでマスク収納ケースの表面にも抗菌効果を持たせることが出来る。
【考案実施の形態】
【０００５】  図１は本考案の抗菌加工マスク収納ケース（１）の視図である。あらかじめ抗菌剤を混ぜた材料を用いて製造されたマスク収納ケース（１）の底辺（ａ）は山折になっており、左辺（ｆ）で圧着されている。そのため底辺（ａ）及び左辺（ｆ）は閉じた状態になっている。上辺（ｂ）、（ｃ）と右辺（ｄ）、（ｅ）は開口しているため、ここからマスクを出し入れすることができる。この時ファイルの内側は抗菌効果を持つ。また、マスクケース表面（２）の任意のまたは全体に抗菌作用を持つニスをコーティングすることで底辺（ａ）で折り返し内部にマスクを収納した場合、でもマスク表面には抗菌効果が持続する。
【０００６】  図２は本考案の抗菌加工マスク収納ケース（１）の展開図である。図１でマスク収納ケース（１）は１枚のフィルムシートを折り曲げ、左辺（ｆ）を圧着することで上辺（ｂ）、（ｃ）と右辺（ｄ）、（ｅ）部に開口部を持つことが出来る。また、左辺（ｆ）は圧着されているのでマスクを収納した場合にその脱落を防止することが出来、かつ底辺（ａ）で折り返した場合フック部（ｇ）が上辺（ｃ）の上部を挟み込み固定する。
【図面の簡単な説明】
【０００７】
【図１】抗菌加工マスク収納ケースの視図
【図２】図１の抗菌加工マスク収納ケースの展開図
【符号の説明】
【０００８】１  抗菌加工マスク収納ケース
２  抗菌ニスコーティング箇所
ａ  底辺
ｂ  上辺
ｃ  上辺
ｄ  右辺
ｅ  右辺
ｆ  左辺
ｇ  フック
【図１】
0003228945.tif 000003
【図２】
0003228945.tif 000004
(57)【要約】      （修正有）【課題】飲水等のためにマスクをずらす際に直接手指がマスク本体に触れてしまうことを防ぐマスクを提供する。【解決手段】マスク外面１中央部にタグ４を設けることで、直接手指がマスク本体２に触れる機会を防ぐ。飲水等のためにマスクをずらす際は、タグを引っ張ることで対応する。【選択図】図１
0003228948.tif 000002
【実用新案登録請求の範囲】
【請求項１】
マスク外面にタグを設け、飲水等のためにマスクをずらす際に直接手指がマスク本体に触れないことを特徴としたマスク
【考案の詳細な説明】
【技術分野】
【０００１】  本考案は、外面にタグを設けた、マスクに関するものである。
【背景技術】
【０００２】  従来のマスクは、飲水等のためにマスクをずらす際に直接手指がマスク本体に触れる造りとなっており、衛生面で問題があった。
【先行技術文献】
【特許文献】
【０００３】
【特許文献１】特開２０２０−１０５６７８（Ｐ２０２０−１０５６７８Ａ）号  公報
【特許文献２】特開２０２０−１０５６７７（Ｐ２０２０−１０５６７７Ａ）号  公報
【特許文献３】特開２０２０−１０５６６９（Ｐ２０２０−１０５６６９Ａ）号  公報
【特許文献４】実用新案登録第３２２６５２９号（Ｕ３２２６５２９）号  公報
【特許文献５】特開２０２０−８４３８８（Ｐ２０２０−８４３８８Ａ）号  公報
【考案の概要】
【考案が解決しようとする課題】
【０００４】  昨今の新型コロナウイルスの世界的な流行により、感染予防を意図したマスク着用の重要性は今後ますます高まっていくと予想される。
しかしながら従来のマスクは、飲水等のためにマスクをずらす際に直接手指がマスク本体に触れる造りとなっており、衛生面で問題があった。
こうした問題に対し、マスク外面にタグを設けることにより直接手指がマスク本体に触れることを防ぎ、マスク着用による感染予防をより実効性のあるものにする。
【課題を解決するための手段】
【０００５】  本考案は、マスク外面にタグを設けるものである。これにより、飲水等のためにマスクをずらす際に直接手指がマスク本体に触れる造りである、従来のマスクが抱えていた衛生面での問題を解決している。
【考案の効果】
【０００６】  上述のように、マスク外面にタグを設けることで、飲水等のためにマスクをずらす際に直接手指がマスク本体に触れることを防ぎ、従来のマスクが抱えていた衛生面での問題を解決している。
【図面の簡単な説明】
【０００７】
【図１】タグ付きマスクの構造を示す図である。
【考案を実施するための形態】
【０００８】  マスク外面中央部に２〜３ｃｍ角程度のタグを設ける。
なおタグの材質については、マスクと同様の材質とするか、もしくはナイロンやサテン等の材質とし、マスク本体とタグが容易に外れないようしっかりと編み込まれているものとする。
【実施例】
【０００９】  飲水等のためにマスクをずらす際は、マスク外面中央部に設けられたタグを引っ張ることで対応する。これにより、マスクをずらす際に直接手指がマスク本体に触れることを防ぐ。
【産業上の利用可能性】
【００１０】  （一社）日本衛生材料工業連合会の統計データによると、２０１９年度のマスク国内生産量はおよそ１４億枚である。２０２０年度の統計値については、新型コロナウイルスの収束が未だ見えないこと、マスク生産が輸入から国内生産へとシフトしていることもあり、さらに増加することが予想される。
そうした中で、本考案による衛生面により配慮したマスクの投入は、当該市場のさらなる拡大に寄与すると期待される。
【符号の説明】
【００１１】  １  マスク外面
２  マスク本体
３  耳掛けバンド
４  タグ
５  マスク内面
【図１】
0003228948.tif 000003
【図２】
0003228948.tif 000004
【手続補正書】
【提出日】令和2年9月12日(2020.9.12)
【手続補正１】
【補正対象書類名】明細書
【補正対象項目名】０００７
【補正方法】変更
【補正の内容】
【０００７】
【図１】タグ付きマスクの構造を外面から示す図である。
【図２】タグ付きマスクの構造を内面から示す図である。
(57)【要約】      （修正有）【課題】屋内の狭い空間で、安全且つ簡単に、老若男女リフティングが出来るボールを提供する。【解決手段】ボールは、厚さ０．０１ミリ前後で、伸縮性の少ない軽い素材１を使い、球体の一部を平らにしその一つの平面の中心に空気注入口２とキャップ３を持ってきて、重りにすることによりコントロールし易く狭い空間でも幅広い年代、性別を問わずリフティング運動ができるようになる。【選択図】図１
0003228949.tif 000002
【実用新案登録請求の範囲】
【請求項１】
厚さ０．０１ミリ前後で１０グラム以下の伸縮性の少ない素材を使用した球体の１部分が平らで、その中の一面の中心に重りがついているボール。
【考案の詳細な説明】
【技術分野】
【０００１】屋内の狭い空間で幅広い年代、性別を問わずリフティングが容易に出来るボール。
【背景技術】
【０００２】一般的にリフティングはサッカー選手の練習の一環として行われているが、リフティングの動作は腿を高く上げ、それが繰り返し行われるので、、足腰の強化に役立つと思われます。
未経験者や、幅広い年代にも楽しく運動が出来るツールとして広めたい。
【考案の概要】
【考案が解決しようとする課題】
【０００３】リフティングは高度な技術が必要でテクニックを身につけるまで長い時間を要し、性別を問わず、幅広い年代の方が簡単にリフティングが出来るボールがなかった。【０００４】屋内での運動不足解消、足腰の強化ができるボールを使った運動には、広いスペースの確保が必要。
失敗した時にボールを拾いに行く煩わしさがある。
サッカーボールは重くて硬く、人や物に当たって、怪我や物を壊す心配がある。
【課題を解決する手段】
【０００５】球体の一部の面を平にし、その中の一つの平面の中心に重りとして空気注入口とキャップを持ってきた。
厚さ０．０１ｍｍ前後で軽く伸縮性の少ない軽い素材を用い空気の量を調節出来るようにした。
【課題を解決する効果】
【０００６】１０グラム以下のとても軽い素材を使っているので滞空時間が長くなった。
重い面が常に下になろうとするので空中ではボールの回転が抑制され、安定して飛ぶので蹴る位置が狙いやすくなった。
又、下に来る部分は平らなので球体と比べ蹴る面積が広くなりミスが大幅に減った。
上に述べたことが性別を問わず、幅広い年代の方が簡単にリフティングができる要因となった。
【０００７】ミスをしても空気抵抗を受け着地時には勢いがなくなり、弾力も殆どないので転がらず拾いに行く範囲が大幅に狭くなった。
力一杯蹴っても殆どの場合インパクトした地点から２ｍ以上飛ぶことはないので人を傷つけたり物を壊す心配がなくなった。
蹴った足もダメージを感じないほどソフトに出来ている
上で述べたことにより屋内の限られたスペースでボールを使った運動が出来るようになった。
【図面の簡単な説明】
【０００８】
【図１】斜め下方から見た本体  空気を注入した状態
【図２】本考案品の実施例
【考案を実施するための形態】
【０００９】空気注入口から空気を８０％〜１００％注入する
【実施例】
【００１０】屋内、２ｍ５０ｃｍ四方の空間でのリフティング運動
【産業上の利用可能性】
【００１１】リフティングは腿を高く上る行為を連続で繰り返され、健康にとってとても優れた運動だと思います。
本考案品のボールは、狭い空間でも連続してリフティングが簡単に出来るので、遊び感覚で運動不足解消や足腰の強化が期待でき、、スポーツの道具、エクササイズやリハビリの健康器具としての価値があると思います。【００１２】本考案品は、子供でももちろん出来、リフティング時でも上下を保とうとするので、キャラクターの顔などプリントすることにより、子供の玩具、キャラクターグッズなどになると思います。
【符号の説明】
【００１３】１  主要部分  厚さ０．０１ｍｍ前後の伸縮性の少ない軽い素材（例ポリエチレン）
２  空気注入口
３  キャップ兼重り
４  円周  例５０ｃｍ
５  ２ｍ５０ｃｍ四方の空間
【図１】
0003228949.tif 000003
【図２】
0003228949.tif 000004
(57)【要約】      （修正有）【課題】狭い空間で安全でコントロールし易いボールを用いた運動ができるボールを提供する。【課題】ボールは、厚さが０．０１ｍｍ前後と薄く、伸縮性の少ない軽い素材を使うことにより、コントロールしやすく、狭い空間でもボールを用いた運動が幅広い年代、性別問わず出来るようになった。空気注入口２とキャップ３を設け、空気を抜くことにより持ち運びが容易になった。【選択図】図１
0003228947.tif 000002
【実用新案登録請求の範囲】
【請求項１】
厚さ０．０１ｍｍ程度の伸縮の少ない軽い素材を使用した
人の力で５ｍ以上飛ばない屋内運動用の球体又は球体に近いボール
（空気を注入した際に球状になる物も含める）
【考案の詳細な説明】
【技術分野】
【０００１】屋内の限られた空間でボールを用いて運動が出来るボール
【背景技術】
【０００２】外で使用する良く飛ぶボール、良く弾むボール、良く転がるボールを屋内でも使用していた
【考案の概要】
【考案が解決しようとする課題】
【０００３】二畳から八畳程度の狭い空間で、ボールを用いて運動ができるボールがあまりない
大きく弾んだり硬かったり重かったりでボールの扱いが難しい
転がって遠くまで拾いに行く煩わしさがある
人や物に当たって、怪我や物を壊す心配がある
テクニックを身につけるまで長い時間がかかる【０００４】持ち運び時に嵩張る
【課題を解決する手段】
【０００５】厚さ０．０１ｍｍ程度で伸縮の少ない１０グラム以下の軽い素材を用い空気の量を調節出来るようにした
【０００６】空気注入口とキャップをつけた
【課題を解決する効果】
【０００７】図２−１のように２０ｃｍ程度上昇させた時元の高さに戻るまで１秒程度の滞空時間が生まれるのでボールのコントロールが容易になった
ボールと体の１部分がインパクトした時  ボールは変形し接地面が大きくなるので中心を多少外しても大きく逸らすことがなくなった
テクニックや経験がを必要ないので幅広い年代、性別を問わず遊べるようになった
ボールが着地した時、ボールが衝撃を吸収し弾まず転がらないので拾いに行く範囲が狭くなった
力一杯、投げたり蹴ったりしても空気抵抗を受け失速するので５ｍ以上飛ばず尚且つ、軽い素材で出来ているので人を傷つけたり物を壊す心配がない。
【０００８】嵩ばらず軽量（１０グラム以下）なので持ち運びしやすくなった
【図面の簡単な説明】
【０００９】
【図１】本体  空気を注入し、使用できる状態
【図２】図２−（１，２）本考案品の使用例
【考案を実施するための形態】
【００１０】空気注入口から空気を８０％〜１００％注入し球状にします
【実施例】
【００１１】本考案のボールを一人又は数人で体の一部、又は複数の部分を使って地面に落とさないように体でバウンドさせながら運動する
図２−１参照【００１２】柵や籠などを使い対戦ゲームの道具として使う
図２−２参照
【産業上の利用可能性】
【００１３】スポーツの道具、エクササイズやリハビリの健康器具、子供の玩具、ノベルティーグッズ、キャラクターグッズなど
【符号の説明】
【００１４】１  本体、厚さ０．０１ｍｍ前後で伸縮性が少ない１０ｇ以下の軽い素材
２  空気注入口
３  キャップ
【図１】
0003228947.tif 000003
【図２】
0003228947.tif 000004
(57)【要約】      （修正有）【課題】軽量で小さく嵩張ることなく、クリップで鞄や衣服のポケットに止めることで、機器や貴重品等の置き忘れと紛失を防ぐことができる紛失防止機能ストラップを提供する。【解決手段】伸縮自在のＳ形ジグザグゴム紐を形成し、更にＳ形ジグザグゴム紐の両端に穿孔を形成し、穿孔の片方にストラップ３を設け、もう片方にクリップ５を設けた本体１からなり、携帯電話６に本体のストラップを繋ぎ、本体のクリップで鞄４のポケットや手提げ等に止める。携帯電話が鞄と繋がり、或いは衣服のポケットに繋がる事により、携帯電話の紛失防止に役立つ。【選択図】図２
0003228941.tif 000002
【実用新案登録請求の範囲】
【請求項１】
伸縮自在のＳ形ジグザグゴム紐を形成し、更にＳ形ジグザグゴム紐の両端に穿孔を形成し、該の穿孔の片方に既存のストラップを設け、もう片方に既存のクリップを設けたことを特徴とする携帯電話、スマートフォン及び貴重品等の紛失防止機能ストラップ。
【請求項２】
請求項１の伸縮自在のＳ形ジグザグゴム紐は、縮んだＳ形の状態から牽引により伸びた長さが４０センチ前後の使用に対応できることを特徴とする携帯電話、スマートフォン及び貴重品等の紛失防止機能ストラップ。
【考案の詳細な説明】
【技術分野】
【０００１】  本案は、ある程度の長さの弾力性の伸縮ゴム紐とクリップで携帯電話、スマートフォン及び貴重品等を鞄や衣服のポケットに繋ぐストラップに関するものである。
【背景技術】
【０００２】  既存の携帯電話ストラップは、おおよそ３０ｃｍ位の長さの革紐等を使い、これを輪にして携帯電話ストラップとしていた。
【考案の概要】
【考案が解決しようとする課題】
【０００３】  現在使われている携帯電話やスマートフォンの機器には個人情報が満載されている為、出来るだけ置き忘れや紛失を避けたい。又、貴重品等の置き忘れや紛失を避けることにも対応する為には、従来の輪の形のストラップでは短く、手持ちの鞄や衣服に繋ぐことができない。ストラップの紐に縮んだ機能の弾力性のあるゴム紐を使い、紐の両端にクリップとストラップを付けて鞄や衣服に止めることが出来るように構成するものであり、また、既存のコイル状の伸縮ストラップでは、携帯電話の使用で引っ張ると必要以上の牽引力を必要とする為、不向きであった。本案は、前述の欠点を解決しょうとするものである。
【課題を解決するための手段】
【０００４】  本案は、ある程度の長さで、小さくまとまる弾力性の伸縮ゴム紐を使ったストラップを携帯電話やスマートフォン及び財布や鍵等の貴重品と鞄や衣服のポケットにクリップで繋ぐものである。
携帯電話を使う時、持つ手元はゴム紐の伸び縮みする素材と元の形に戻ろうとする弾力性の素材により、牽引力を必要としない自由な動きができる。このストラップのゴム紐の性質上、軽量であり、使わない時は、小さな形にまとまり、嵩張ることはない。又、仕事や買い物等の外出先で携帯電話やスマートフォン、或いは、貴重品等が、いつの間にか無くなって、どこへ置いてしまったのか、分からなくなると言う置き忘れや紛失を防止する。
【考案の効果】
【０００５】  この伸縮自在のＳ形ジグザグゴム紐のストラップに使う紐は、軽量で弾力性の伸縮ゴム紐で構成され、必要な長さのゴム紐が使用しない時には、小さくまとまる形となり、嵩張らないで邪魔にならない。  又、携帯電話を使用中、既存のコイル状のストラップのように使用中に牽引力を必要としないで使用できる容易さがあり、且つ、４０センチ前後まで伸ばして使用しても牽引力を必要としないものである。更に携帯電話やスマートフォン及び貴重品等の紛失防止機能が効果を発揮する。
【図面の簡単な説明】
【０００６】
【図１】本考案の伸縮自在のＳ形ジグザグゴム紐にストラップを設けた正面図である。
【図２】本考案の伸縮自在のＳ形ジグザグゴム紐にストラップとクリップを設け、鞄にクリップを取り付けた斜視図である。
【図３】図２の状態から牽引した状態を示す斜視図である。
【図４】０００９の実施例に記載の如く、ポケットに収納する場合は、既存のリールに巻いて使用する斜視図の参考である。
【考案を実施するための形態】
【０００７】  本体１の伸縮自在のＳ形ジグザグゴム紐の両端に穿孔２、２’を形成した片方にストラップ３を設け、もう片方にクリップ５を設けた構成に於いて、携帯電話、スマートフォン及び貴重品等の本体は鞄の中のポケット、或いは衣服のコート、上着、ズボン等の脇ポケットに入れて使用するものとするものであり、これらの機器や貴重品等を本体１のストラップ３に取り付け、もう一方の先端は鞄又は衣服のポケットにクリップ５で止める。このような形態でストラップを使うことで、携帯電話、スマートフォン及び貴重品等を身の回りから離さないことが可能となる。
【実施例】
【０００８】  以下、添付図面に従って実施例を説明する。
携帯電話６にストラップ３を取り付け、片方のクリップ５で鞄の手提げ、或いは鞄の中のポケットに止める。鞄のポケットにストラップ３で止めた携帯電話６は、このような収納方法で使用できる。【０００９】  実施例として、本体１によるストラップ３を鞄４に取り付け、使用した場合の記述は上述の如くであるが、スマートフォン及び貴重品等についても同様の使用方法とする。又、ゴム紐１を小さなリールに巻いて携帯電話等と一緒にポケットに入れることも可能である。【００１０】  携帯電話６を繋いでいる本体１の弾力性の伸縮ゴム紐の穿孔２’に設けているストラップ３を外すことで、携帯電話６はフリーの状態で使用が可能となる。
【符号の説明】
【００１１】１  本体
２  穿孔
３  ストラップ
４  鞄
５  クリップ
６  携帯電話
７  リール
【図１】
0003228941.tif 000003
【図２】
0003228941.tif 000004
【図３】
0003228941.tif 000005
【図４】
0003228941.tif 000006